(57)【要約】      （修正有）【課題】非請求のメッセージを（ＩＳ−２０００）のＣＤＭＡの無線ネットワークからＨＤＲの無線ネットワークを介してアクセス端末へ転送する技術。【解決手段】アクセス端末とＨＤＲの無線ネットワークとの間にセッションが設定される。セッションの設定中およびその後は、アクセス端末はＨＤＲの無線ネットワークにＣＤＭＡの無線ネットワークからの非請求のメッセージを受信することへの関心と、特定の組のサービスオプションに対してページされる関心とを示す。ＨＤＲの無線ネットワークは非請求のメッセージをカプセル化して、順方向のトラヒックチャンネル、または他のチャンネルを介して、アクセス端末へ送る。非請求のメッセージを転送すると、ＣＤＭＡの無線ネットワークは、ＨＤＲの無線ネットワークと通信しているか、またはこれに同調しているアクセス端末と通信して（例えば、ページ）、サービスを提供することができる。【選択図】なし【特許請求の範囲】
【請求項１】
第２の無線ネットワークから第1の無線ネットワークへ転送されたメッセージを受信するための方法であって、
第１の無線ネットワークとのセッションを設定することと、
第２の無線ネットワークから非請求のメッセージを受信することへの関心の表示を第１の無線ネットワークへ送ることと、
第１の無線ネットワークへ転送された第２のネットワークからの非請求のメッセージが含まれているカプセル化されたメッセージを、第１の無線ネットワークから受信することとを含む方法。
【請求項２】
特定の組のサービスオプションのためにページされることへの関心の表示を第１の無線ネットワークへ送ることをさらに含む請求項１記載の方法。
【請求項３】
受信する前に、第２の無線ネットワークに登録することをさらに含む請求項１記載の方法。
【請求項４】
第１のメッセージを第１の無線ネットワークへ送って、第２の無線ネットワークからの非請求のメッセージをカプセル化して転送することを要求することをさらに含む請求項１記載の方法。
【請求項５】
第１のメッセージが第１の時間間隔内で定期的に送られる請求項４記載の方法。
【請求項６】
第１の時間間隔より長い第２の時間間隔内で第１のメッセージが受信されないときは、第２の無線ネットワークからの非請求のメッセージをカプセル化して転送することを止める請求項５記載の方法。
【請求項７】
第２のメッセージを第１の無線ネットワークへ送って、第２の無線ネットワークからの非請求のメッセージをカプセル化して転送するのを終了することを要求することをさらに含む請求項１記載の方法。
【請求項８】
第１の無線ネットワークからのカプセル化されたメッセージを受信することに応答して、ページ応答メッセージを第２の無線ネットワークへ送ることをさらに含む請求項１記載の方法。
【請求項９】
カプセル化されたメッセージを受信することに応答して、第２の無線ネットワークとの接続を設定することをさらに含む請求項１記載の方法。
【請求項１０】
カプセル化されたメッセージが、
受信者のアクセス端末のアドレスを示すアクセス端末識別子（Access Terminal Identifier, ATI）記録フィールドと、
メッセージがカプセル化されたメッセージであることを示すメッセージＩＤフィールドと、
受信者のアクセス端末のために１つ以上のページング記録を示すメッセージフィールドとを含む請求項１記載の方法。
【請求項１１】
非請求のメッセージが移動局の制御装置から第１および第２の無線ネットワークへ送られる請求項１記載の方法。
【請求項１２】
非請求のメッセージが第２の無線ネットワークから第１の無線ネットワークへ送られる請求項１記載の方法。
【請求項１３】
カプセル化されたメッセージが順方向のトラヒックチャンネル上で第１の無線ネットワークから受信される請求項１記載の方法。
【請求項１４】
カプセル化されたメッセージが指定された制御チャンネルサイクル上で第１の無線ネットワークから受信される請求項１記載の方法。
【請求項１５】
第１の無線ネットワークから受信したカプセル化されたメッセージが、ページング要求メッセージである請求項１記載の方法。
【請求項１６】
第１の無線ネットワークから受信したカプセル化されたメッセージが、音声ページである請求項１記載の方法。
【請求項１７】
第１の無線ネットワークが、高データレート（High Data Rate, HDR）の無線ネットワークである請求項１記載の方法。
【請求項１８】
第２の無線ネットワークが、ＩＳ−２０００の標準規格にしたがうＣＤＭＡの無線ネットワークである請求項１記載の方法。
【請求項１９】
請求項１記載の方法を実行するように構成されたスペクトル拡散通信システム内のアクセス端末。
【請求項２０】
ＣＤＭＡの無線ネットワークからＨＤＲの無線ネットワークへ転送されるメッセージを受信するための方法であって、
ＨＤＲの無線ネットワークとのセッションを設定することと、
ＣＤＭＡの無線ネットワークから非請求のメッセージを受信することへの関心の表示をＨＤＲの無線ネットワークへ送ることと、
ＣＤＭＡの無線ネットワークに登録することと、
第１のメッセージをＨＤＲの無線ネットワークへ定期的に送って、ＣＤＭＡの無線ネットワークからの非請求のメッセージをカプセル化して転送することを要求することと、
ＨＤＲの無線ネットワークから転送されたＣＤＭＡの無線ネットワークからの非請求のメッセージが含まれているカプセル化されたメッセージを、ＨＤＲの無線ネットワークから受信することとを含む方法。
【請求項２１】
スペクトル拡散通信システム内のアクセス端末であって、    データおよびメッセージを受信してコード化し、コード化されたデータを変調し、変調されたデータを、伝送媒体上での伝送に適した変調された信号へ変換するように動作する送信機ユニットと、
送られた信号を受信し、受信信号を復調して、復調されたデータを供給し、復調されたデータをデコードして、送られたデータとメッセージとを回復するように動作する受信機ユニットと、
送信機ユニットおよび受信機ユニットに接続された制御装置であって、
第１の無線ネットワークとのセッションを設定し、
第２の無線ネットワークからの非請求のメッセージを受信することへの関心の表示を第1の無線ネットワークへ送り、
第1の無線ネットワークへ転送された第２の無線ネットワークからの非請求のメッセージが含まれているカプセル化されたメッセージを、第１の無線ネットワークから受信して処理するように命令するように動作する制御装置とを含むアクセス端末。
【請求項２２】
アクセス端末へメッセージを転送するための方法であって、
アクセス端末とのセッションを設定することと、
第２の無線ネットワークから非請求のメッセージを受信することへの関心の表示をアクセス端末から受信することと、
第２の無線ネットワークから非請求のメッセージを受信することと、
非請求のメッセージをカプセル化することと、
カプセル化されたメッセージをアクセス端末へ送ることとを含む方法。
【請求項２３】
第１のメッセージをアクセス端末から受信して、第２の無線ネットワークからの非請求のメッセージをカプセル化して転送することを要求することをさらに含む請求項２２記載の方法。
【請求項２４】
第1のメッセージがアクセス端末から定期的に受信され、第１のメッセージが特定の時間間隔内で受信されないときは、第２の無線ネットワークからの非請求のメッセージをカプセル化して転送するのを止める請求項２３記載の方法。
【請求項２５】
アクセス端末から第２のメッセージを受信して、第２の無線ネットワークからの非請求のメッセージをカプセル化して転送するのを終了することを要求することをさらに含む請求項２２記載の方法。
【請求項２６】
スペクトル拡散通信システム内のアクセスポイントであって、
データおよびメッセージを受信してコード化し、コード化されたデータを変調し、変調されたデータを、伝送媒体上で伝送するのに適した変調された信号へ変換するように動作する送信機ユニットと、
送られた信号を受信し、受信信号を復調して、復調されたデータを生成し、復調されたデータをデコードして、送られたデータとメッセージとを回復するように動作する受信機ユニットと、
送信機ユニットおよび受信機ユニットに接続された制御装置であって、
アクセス端末とのセッションの設定、
第２の無線ネットワークからの非請求のメッセージを受信することへの関心の表示のアクセス端末からの受信、
第２の無線ネットワークから非請求のメッセージの受信、
非請求のメッセージのカプセル化、および、
カプセル化されたメッセージのアクセス端末への伝送を命令するように構成された制御装置とを含むアクセスポイント。
【発明の詳細な説明】
【技術分野】
【０００１】
本発明は、データ通信に関する。とくに、本発明は、多数の無線ネットワーク間でメッセージを転送するための新規で改良された方法および装置に関する。
【背景技術】
【０００２】
符号分割多重アクセス（code division multiple access, CDMA）の変調技術は、多数のシステムユーザ間の通信を容易にするための幾つかの技術の中の1つとして使用されている。この技術において、他の多数のアクセス通信システム技術、例えば時分割多重アクセス（time division multiple access）（例えば、ＴＤＭＡおよびＧＳＭ（登録商標））、周波数分割多重アクセス（frequency division multiple access, FDMA）、および振幅圧伸単側波帯（amplitude companded single sideband, ACSSB）のようなＡＭ変調方式が知られているが、ＣＤＭＡのスペクトラム拡散変調技術は、多数のアクセス通信システムにおいて、これらの他の変調技術と比較して相当に効果的である。
【０００３】
多重アクセス通信システムにおけるＣＤＭＡ技術の使用は、1990年2月13日に発行された米国特許第4,901,307号（“SPREAD SPECTRUM MULTIPLE ACCESS COMMUNICATION SYSTEM USING SATELLITE OR TERRESTRIAL REPEATERS”）および1992年4月7日に発行された米国特許第5,103,459号（“SYSTEM AND METHOD FOR GENERATING SIGNAL WAVEFORMS IN A CDMA CELLULAR TELEPHONE SYSTEM”）に開示されている。より最近生成されたＣＤＭＡ通信システムは、パケットデータを効率的に送るように設計されており、1997年11月3日に出願された米国特許出願第08/963, 386号（“METHOD AND APPARATUS FOR HIGH RATE PACKET DATA TRANSMISSION ”）に開示されている。これらの特許および特許出願は、本発明の譲受人に譲渡され、ここでは参考文献として取り上げている。
【０００４】
ＣＤＭＡシステムは、通常は、特定のＣＤＭＡの標準規格に一致するように設計されている。このようなＣＤＭＡの標準規格には、例えば“TIA/EIA/IS-95-B Mobile Station-Base Station Compatibility Standard for Wideband Spread Spectrum Systems”（以下では、ＩＳ−９５の標準規格と呼ぶ）、ＴＩＡ／ＥＩＡ／ＩＳ−９８−Ａ、−Ｂ、および−Ｃの標準規格（“Recommended Minimum Performance Standard for Dual-Mode Spread Spectrum Cellular and PCS Mobile Stations”）（以下では、ＩＳ−９８の標準規格と呼ぶ）、およびＴＩＡ／ＥＩＡ／ＩＳ−２０００．1ないし２０００．６並びにＴＩＡ／ＥＩＡ／ＩＳ−２０００−Ａ．１ないしＡ．６（“… Standard for cdma2000 Spread Spectrum Systems”）（以下では、まとめてＩＳ−２０００の標準規格と呼ぶ）が含まれる。新しいＣＤＭＡの標準規格は、絶えず提案され、使用に取入れられている。
【０００５】
種々の応用において無線データ通信の需要が拡大し続けるならば、特定の地理的領域をカバーする多数の無線ネットワークを並行して配置される。1つの無線ネットワーク（例えば、ＩＳ−２０００のＣＤＭＡの無線ネットワーク）は音声サービスを提供するために、別の無線ネットワーク（例えば、ＨＤＲの無線ネットワーク）はパケットデータサービスを提供するために配置される。これらの無線ネットワークはネットワークインターフェイス、例えば“Inter-operability Specification (IOS) for cdma2000 Access Network Interfaces”(以下では、相互運用性仕様と呼ぶ)によって定義されているインターフェイスを介して対話する。
【０００６】
多数の無線ネットワークと通信するために、マルチモードのアクセス端末を設計することができる。設計を簡単にするために、アクセス端末は、概して、所与の瞬間に1つのみの無線ネットワークとアクティブに通信するか、または同調する。サービスを向上するために、アクセス端末は、１つの無線ネットワークと通信するか、または同調し、一方で別の無線ネットワークからメッセージおよびページを受信することが望ましい。
【０００７】
したがって、１つの無線ネットワークから別の無線ネットワークへメッセージを転送し、これらのメッセージをアクセス端末へ転送する技術が非常に望ましい。
【発明の概要】
【０００８】
本発明は、ＣＤＭＡの無線ネットワーク（例えば、ＩＳ−２０００のＣＤＭＡ無線ネットワーク）からＨＤＲの無線ネットワークへ非請求のＣＤＭＡのメッセージを転送する新規で改良された技術を提供する。非請求のＣＤＭＡのメッセージは、ＣＤＭＡの無線ネットワークから発信され、かつ移動局がトランザクションを開始しなくてもアクセス端末へ送られるメッセージである。これらの非請求のメッセージは、アクセス端末からの照会に応答するものではなく、例えば、一般的なページングメッセージ（general paging message, GPM）、ページング要求メッセージ、およびＣＤＭＡの無線ネットワークからの他のメッセージが含まれる。ＣＤＭＡの無線ネットワークは、非請求のＣＤＭＡのメッセージを転送すると、ＨＤＲの無線ネットワークと通信するか、またはこれと同調したアクセス端末と通信（例えば、ページ）することができる。したがって、アクセス端末は、現在ＣＤＭＡの無線ネットワークと同調していなくても、アクセス端末がＣＤＭＡの無線ネットワークからサービスを受けることができる。
【０００９】
本発明の実施形態では、第２の（例えば、ＩＳ−２０００）の無線ネットワークから第１の（例えば、ＨＤＲ）の無線ネットワークへ転送されたメッセージを、アクセス端末において受信するための方法を提供する。この方法にしたがって、最初に、アクセス端末と第１の無線ネットワークとの間にセッションが設定される。セッション設定中か、またはその後で、アクセス端末は、第２の無線ネットワークから非請求のメッセージを受信することへの関心（interest）を第１の無線ネットワークへ示し、さらに加えて、特定の組のサービスオプションに対してページされることへの関心も示す。アクセス端末は、第１のネットワークと同調しているときでさえも、通常は第２の無線ネットワークにも登録している。その後、アクセス端末は第１の無線ネットワークからカプセル化されたメッセージを受信することができる。各カプセル化されたメッセージには、第1の無線ネットワークへ転送された第２の無線ネットワークからの非請求のメッセージが含まれている。
【００１０】
アクセス端末は、第１の（例えば、EncapsulateCDMA）メッセージを第１の無線ネットワークへ送って、非請求メッセージをカプセル化して転送することを要求することができる。“キープアライブ（keep-alive）”機構を実行するために、第１のメッセージを第１の時間間隔（例えば、１０分以下）内で定期的に送る。第１のメッセージが第２の時間間隔（例えば、第１の時間間隔の２倍）内で受信されないときは、非請求メッセージのカプセル化および転送を止めることができる。アクセス端末は、第２の（例えば、StopEncapsulateCDMA）メッセージを第１の無線ネットワークへ送って、非請求のメッセージのカプセル化および転送の終了を要求することもできる。
【００１１】
非請求メッセージは、移動局の制御装置（mobile station controller, MSC）から第１のネットワークと第２の無線ネットワークとへ送られる。その代わりに、非請求メッセージはＭＳＣから第２の無線ネットワークへ送られ、次に第２のネットワークがこのメッセージを第１の無線ネットワークへ転送してもよい。カプセル化されたメッセージは、順方向のトラヒックチャンネル上を、すなわち指定された制御チャンネルサイクルで、または他のチャンネルを介してアクセス端末へ送られる。
【００１２】
アクセス端末は、カプセル化されたメッセージを第１の無線ネットワークから受信したことに応答して、ページ応答メッセージを第２の無線ネットワークへ送ることができる。アクセス端末は第２の無線ネットワークとの接続を設定して、音声呼またはデータ呼、あるいはこの両者を受信することもできる。
【００１３】
カプセル化されたメッセージには、例えばアクセス端末のアドレスを示すアクセス端末識別子（Access Terminal Identifier, ATI）記録フィールド、メッセージがカプセル化されたメッセージであることを示すメッセージＩＤフィールド、およびカプセル化されたメッセージ自体から成るメッセージフィールドが含まれる。他のメッセージフォーマットも使用できる。
【００１４】
本発明の別の実施形態では、第２の（例えば、ＩＳ−２０００）無線ネットワーク（例えば、ＩＳ−２０００のＣＤＭＡの基地局制御装置（base station controller）またはＣＤＭＡ ＢＳＣ）から、第１の（例えば、ＨＤＲ）無線ネットワークを介して、アクセス端末へメッセージを転送するための方法を提供する。この方法にしたがって、アクセス端末と第１の無線ネットワークとの間にセッションが設定される。セッション設定中か、またはその後で、第２の無線ネットワークから非請求メッセージを受信することへの関心の表示をアクセス端末から受信する。その後で、第２の無線ネットワークからの非請求メッセージを受信してカプセル化する。カプセル化されたメッセージはアクセス端末へ送られる。
【００１５】
第1の（例えば、EncapsulateCDMA）メッセージは、非請求メッセージのカプセル化および転送を要求するものであり、アクセス端末から受信される。ここでも、キープアライブ機構を実行するために、第１のメッセージをアクセス端末から定期的に受信し、第1のメッセージが特定の時間間隔内で受信されないときは、非請求メッセージのカプセル化および転送を止めることができる。第２の（例えば、StopEncapsukateCDMA）メッセージは、非請求メッセージのカプセル化および転送の終了を要求するものであり、アクセス端末から受信される。上述の種々の特徴も実行できる。
【００１６】
本発明はさらに、上述の方法を実行することができる（ＨＤＲの無線ネットワークで使用される）アクセス端末およびアクセスポイントを提供する。本発明の他の態様および実施形態はさらに詳しく別途記載する。
【００１７】
同じ参照符号で全体的に対応して識別している図面に関連して、次に記載する詳細な説明を採用するときに、本発明の特徴、性質、および長所は、この詳細な説明からより明らかになるであろう。
【図面の簡単な説明】
【００１８】
【図１】高データレート（high data rate, HDR）の無線ネットワークが、ＣＤＭＡの無線ネットワークと共に配置されている通信システムの実施形態の図。
【図２】サービスネットワークに相互接続された無線ネットワークを含むアクセス端末のブロック図。
【図３】ＨＤＲの無線ネットワークとＣＤＭＡの無線ネットワークとの間の相互接続の実施形態の図。
【図４】“音声ページ”をアクセス端末へ送り、一方でアクセス端末がＨＤＲの無線ネットワークとデータを交換する種々のネットワーク素子間の通信の実施形態の図。
【図５】アクセス端末およびアクセスポイントの特定の実施形態のブロック図。
【発明を実施するための形態】
【００１９】
特定の実施形態の詳細な説明
図１は、通信システム100の実施形態の図であり、通信システム100には、高データレート（high data rate, HDR）の無線ネットワーク120がワイヤレス電話無線ネットワーク122と共に配置されている。ＨＤＲの無線ネットワーク120は、上述の米国特許出願第08/963,386号に記載された設計に基づいて構成され、パケットデータを効率的に送るのに使用することができる。電話無線ネットワーク122はＣＤＭＡ、ＴＤＭＡ、またはＧＳＭの無線ネットワークであり、標準規格の組（例えば、ＩＳ−９５、ＩＳ−２０００、など）にしたがっている。特定の実施形態では、電話無線ネットワーク122は、ＩＳ−２０００の標準規格にしたがうＣＤＭＡの無線ネットワークである。ＨＤＲの無線ネットワーク120は、固定環境、携帯環境、およびモバイル環境において無線インターネットサービスを支援するのに使用でき、ＣＤＭＡの無線ネットワーク122は音声および他のサービスを支援するのに使用できる。
【００２０】
ＨＤＲの無線ネットワークとＣＤＭＡの無線ネットワークとを二重に配置して使用することは、2000年5月19日に出願された米国特許出願（Attorney Docket No.QCPA990387, “HIGH DATA RATE WIRLESS PACKET DATA COMMUNICATIONS SYSTEM”）に記載されており、これは本発明の譲受人に譲渡され、ここに取り入れられている。
【００２１】
ＨＤＲの無線ネットワーク120は多数のアクセスポイント130を含み、アクセスポイント130は多数のＨＤＲの基地局制御装置（HDR base station controller, HDR BSC）150とインターフェイスしている（図１では、簡単にするために、それぞれ１つのみが示されている）。各ＨＤＲのＢＳＣ150は、パケットデータ供給ノード（packet data serving node, PDSN）160および移動スイッチングセンタ（mobile switching center, MSC）170にも接続されている。ＰＤＳＮ160はパケットデータの伝送を支援し、ＩＰネットワーク180と通信でき、ＩＰネットワーク180は他のネットワークおよびサーバとも相互接続して、パケットデータの伝送を支援するのに使用される。ＭＳＣ170は、ＨＤＲの無線ネットワークおよびＣＤＭＡの無線ネットワークの動作を指示する。
【００２２】
ＣＤＭＡの無線ネットワーク122は多数の基地局トランシーバ（base station tansceiver, BTS）132を含み、ＢＴＳ132は多数のＣＤＭＡの基地局制御装置（CDMA base station controller, CDMA BSC）152とインターフェイスしている（ここでも、図１では、簡単にするために、それぞれ１つのみが示されている）。各ＣＤＭＡのＢＳＣ152はＰＤＳＮ160およびＭＳＣ170とも接続されており、点線で示されているようにＨＤＲのＢＳＣ150とも接続されている。ＭＳＣ170は、通常の（無線）電話との通信を支援する公衆交換電話ネットワーク（public switched telephone network, PSTN）182とも接続する。ＨＤＲの無線ネットワークおよびＣＤＭＡの無線ネットワークの動作は、この技術において知られており、ここでは別途詳しく記載しない。
【００２３】
ＨＤＲの無線ネットワーク内のアクセスポイント130は、別のユニット内に実装でき、ＢＴＳ132と共に位置付けることができる。この配置は、サービスプロバイダ（電話ネットワーク装置のプロバイダと同じでなくてもよい）が製造者からＨＤＲの装置を配置する際に融通性を与える。その代わりに、アクセスポイント130を、ＢＴＳ132内に組込むこともできる。ＨＤＲの無線ネットワークおよびＣＤＭＡの無線ネットワークには種々の配置が可能であり、これは本発明の技術的範囲に含まれる。
【００２４】
両立性および融通性を高めるために、ＣＤＭＡの無線ネットワーク122の機能をマップするように、ＨＤＲ無線ネットワーク120の機能を設計することができる。したがって、ＨＤＲの無線ネットワーク120をＣＤＭＡの無線ネットワーク122と一体構成にして、同じＰＤＳＮ160に接続することができる。ＨＤＲの無線ネットワークのＲＦの特徴をＣＤＭＡの無線ネットワークの特徴と類似するように設計することができる。したがって、ＨＤＲの無線ネットワークおよびＣＤＭＡの無線ネットワークはセルサイト、タワー、アンテナ、および他のシステム素子を共用することができる。デュアルモードのアクセス端末110を使用して、ＣＤＭＡの無線ネットワークまたはＨＤＲの無線ネットワーク、またはこの両者からサービス（例えば、音声、データ、およびその他）を受信することができる。
【００２５】
ＨＤＲの無線ネットワーク120と、ＣＤＭＡの無線ネットワーク122とを同じモデルにしてもよいが、これらの無線ネットワークは互いに依存しない。したがってＨＤＲの無線ネットワーク120は、ＣＤＭＡの無線ネットワーク122と無関係に、関連して、または一体構成で配置することができる。種々のアーキテクチャを使用して、ＨＤＲの無線ネットワークの種々の配置が可能であり、その幾つかは、上述の米国特許出願（Attorney Docket No. QCPA990387）に記載されている。
【００２６】
通信システム100内では、多数のアクセス端末110（図１では、簡単にするために、それぞれ１つのみが示されている）が、ＨＤＲの無線ネットワークのアクセスポイント130およびＣＤＭＡ無線ネットワークのＢＴＳ132と通信している。各アクセス端末110は、アクセス端末がソフトなハンドオフをするか、あるいは一方または両方の無線ネットワークに登録しているかどうかに依存して、無線通信リンク上でアクセスポイント130、またはＢＴＳ132、あるいはこの両者と通信する。デュアルモードのアクセス端末110を使用して、ＣＤＭＡの無線ネットワークまたはＨＤＲの無線ネットワーク、あるいはこの両者から（恐らくは並行して）サービスを受けることができる。
【００２７】
アクセス端末110は、例えばモデム、電話、モジュール、または他のユニットのような種々の物理的な実施形態において構成することができる。アクセス端末110はデータインターフェイスを含み、アクセス端末はこのデータインターフェイスによって無線または有線のリンクを介して種々の相互接続層を使用して、他のデバイス（例えば、コンピュータ、電気器具、パーソナルディジタルアシスタント（personal digital assistant, PDA）、セットトップボックス、プリンタ、など）とインターフェイスすることができる。図１に示した特定の例では、アクセス端末110は（差し錠形の実線によって示されている）ＨＤＲの無線ネットワークと通信し、（差し錠形の白抜きの線によって示されている）ＣＤＭＡの無線ネットワークに登録はしているが、同調はしていない。
【００２８】
図２はアクセスネットワーク200のブロック図であり、アクセスネットワーク200では、無線ネットワークがサービスネットワークと相互接続している。無線ネットワークには、ＨＤＲの無線ネットワーク120、ＣＤＭＡの無線ネットワーク122、他の無線ネットワーク、またはその組み合わせを含むことができる。サービスネットワークには、ＰＤＳＮ160、ＭＳＣ170、他のサービスネットワーク、またはその組み合わせを含むことができる。無線ネットワーク120および122は、これらのネットワーク内のアクセス端末へ無線アクセスをする。ＰＤＳＮ160は、アクセス端末へパケットデータサービスを供給し、従来のネットワークアクセスポイントの機能、例えばポイントツウポイントプロトコル（Point-to Point Protocol, PPP）、ＲＡＤＩＵＳプロトコル、およびモバイルＩＰプロトコルを行なう。これらの無線ネットワークおよびサービスネットワークは、上述の米国特許出願（Attorney Docket No. QCPA990387）により詳しく記載されている。
【００２９】
図２に示されているように、各無線ネットワークインターフェイスは、上述の相互運用性仕様に定義されているネットワークインターフェイスを介してサービスネットワークへインターフェイスしている。パケットデータサービスにおいて、インターフェイスはＰＣＦからＰＤＳＮへのトラヒックインターフェイス（Ａ１０）およびＰＣＦからＰＤＳＮへのシグナリングインターフェイス（Ａ１１）である。ＩＳ−４１およびＰＳＴＮのサービスでは、インターフェイスはＢＳＣからＭＳＣへのシグナリングインターフェイス（Ａ１）およびＢＳＣからＭＳＣのＰＣＭへのトラヒックインターフェイス（Ａ２）である。例えば、ＨＤＲの無線ネットワーク120はＡ１、Ａ１０、およびＡ１１のインターフェイスを介して、ＰＤＳＮ160およびＭＳＣ170の各々とインターフェイスすることができる。同様に、ＣＤＭＡの無線ネットワーク122は、Ａ１、Ａ２、Ａ１０、およびＡ１１のインターフェイスを介して、ＰＤＳＮ160およびＭＳＣ170の各々とインターフェイスすることができる。とくに、ＨＤＲおよびＣＤＭＡの各ＢＳＣとＰＤＳＮとの間の相互接続は、“Ｒ−Ｐ”インターフェイスを介して実現され、“Ｒ−Ｐ”インターフェイスは無線ネットワークおよびサービスネットワークと相互接続するのに使用される“Ａ−インターフェイス”の一部である。
【００３０】
図３は、ＨＤＲの無線ネットワークとＣＤＭＡの無線ネットワークとの間の相互接続の実施形態の図である。図３に示したように、ＭＳＣ170はＡ１のインターフェイスを介して多数のＨＤＲのＢＳＣ150ａ、150ｂと通信し、Ａ１およびＡ２のインターフェイスを介して多数のＣＤＭＡのＢＳＣ152ａ、152ｂと通信する。各ＨＤＲのＢＳＣ150ａ、150ｂおよび各ＣＤＭＡのＢＳＣ152ａ、152ｂとは、特定の受信可能範囲（coverage）をカバーするように設計されている。アクセス端末は、ＨＤＲの無線ネットワークの受信可能範囲（すなわち、ＨＤＲの登録境界（registration boundary））に入ると、この受信可能範囲をカバーしている特定のＨＤＲのＢＳＣ150との登録を開始することができる。同様に、アクセス端末は、ＣＤＭＡの無線ネットワークの受信可能範囲に入ると、この受信可能範囲をカバーしている特定のＣＤＭＡのＢＳＣ152との登録を開始することができる。図３には示されていないが、明らかにするために、ＨＤＲの無線ネットワークおよびＣＤＭＡの無線ネットワークの登録境界は通常は重なり合っており、ほぼ整列するように設計することができる。したがって、アクセス端末は通常は、特定の受信可能範囲に入ると、ＨＤＲおよびＣＤＭＡの無線ネットワークの両者に登録することができる。
【００３１】
図４は、種々のネットワーク素子間において“音声ページ”をアクセス端末へ送り、一方でＨＤＲの無線ネットワークとデータを交換する通信の実施形態の図である。アクセス端末は、最初に（例えば、ＨＤＲの登録境界へ入るとき）、ＨＤＲの無線ネットワークとのセッションを設定する。セッションの設定には、通常はＵＡＴＩの割り当て、プロトコルのネゴシエーション、およびパラメータのネゴシエーションが含まれる。セッションの実行は、アクセス端末およびＨＤＲの無線ネットワークが次の通信に使用される（種々のシグナリング層における）１組のプロトコルを設定し、かつ各設定されたプロトコルに使用される１組のパラメータを設定することによって行われる。デフォルトのプロトコルまたはパラメータ、あるいはこの両者を選択して使用してもよい。その代わりに、両者のエンティティがプロトコルまたはパラメータ、あるいはこの両者をネゴシエートしてもよい。
【００３２】
セッションの実行の一部として、デュアルモードのアクセス端末は、通常は、国際的な移動局の識別（International Mobile Station Identification, IMSI）をＨＤＲの無線ネットワークへ送る。さらに加えて、アクセス端末にはユニキャストアクセス端末識別子（Unicast Access Terminal Identifier, UATI）も割り当てられ、これによりＨＤＲの無線ネットワークは、とくにこのアクセス端末へメッセージを送ることができる。
【００３３】
セッションの実行は、文献（“HDR Air Interface (HAI) Specification”）（以下では、ＨＡＩ仕様と呼ばれる）、および2000年2月7日に出願され、かつ本発明の譲受人に譲渡された米国特許出願第09/499,196号（“METHOD AND APPARATUS FOR PROVIDING CONFIGURABLE LAYERS AND PROTOCOLS IN A COMMUNICATIONS SYSTEM”）にさらに詳しく記載されている。これらの文献の両者は、ここでは参考文献として取り上げている。ＨＡＩ仕様の文献は、標準規格機関（standard body）(３ＧＰＰ２／ＴＳＧ−Ｃ)へ与えられ、最終の標準規格開発の基礎となっている。
【００３４】
本発明にしたがって、アクセス端末は、ＨＤＲとのセッションの実行中にＨＤＲの無線ネットワークに、非請求のＣＤＭＡメッセージを受信することに関心があり、一方でＨＤＲの無線ネットワークとセッション中であることを示す。非請求のＣＤＭＡのメッセージは、ＣＤＭＡの無線ネットワークから発信され、かつ移動局がトランザクションを開始しなくても、アクセス端末へ送られるメッセージである。一般ページメッセージ（General page message, GPM）、ショートメッセージサービス（Short Message Service, SMS）のデータを保持しているデータバーストメッセージ（Data Burst Message）は、ＩＳ−２０００の非請求のメッセージの例である。アクセス端末は、特定のＩＳ−２０００のサービスオプションを指示して、関係するメッセージをＨＤＲの無線ネットワークを介してアクセス端末へ送らせる。例えば、アクセス端末は、ショートメッセージサービス（ＳＭＳ）のページではなく、音声サービスを示すサービスオプションを使用して、一般ページメッセージ（ＧＰＭ）を受信したいことを示すことができる。次にＨＤＲの無線ネットワークは、これらの表示に基づいて、ＣＤＭＡの無線ネットワークから指示されたメッセージをアクセス端末へ供給することができる。
【００３５】
アクセス端末は、ＣＤＭＡの無線ネットワークの登録境界内にあるとき、許可された登録メッセージを送ることによってＣＤＭＡの無線ネットワークにも登録することができる。アクセス端末は、ＩＳ−２０００の標準規格にしたがって、誰であるかをＣＤＭＡのＢＳＣに明らかにする。したがって、アクセス端末は、（真のアクセス端末のみが秘密鍵をもつので）真のアクセス端末のみが生成できる番号（ＡＵＴＨＲ）を生成する。この認証は、上述のＩＳ−２０００の標準規格に記載されている。登録メッセージでは、ＣＤＭＡの無線ネットワークにアクセス端末の存在について知らせる。登録後、ＣＤＭＡのＢＳＣはアクセス端末を識別して追跡することができる。アクセス端末は、実行されている特定のＣＤＭＡの標準規格（例えば、ＩＳ−２０００の標準規格）にしたがって、ＣＤＭＡの無線ネットワークに登録することができる。マルチモードのアクセス端末では、ＨＤＲの無線ネットワークに同調していても、ＣＤＭＡの無線ネットワークに登録することができる。
【００３６】
認証は、登録の一部として、登録メッセージ内の認証フィールドを介して行われる。認証は、必要とされるときのみ、例えば“赤（rouge）”のアクセス端末が真のアクセス端末を詐称する可能性があるときにのみ行なわれる。例えば、赤のアクセス端末は、認証がなくても、アクセス端末Ｘであると主張し、アクセス端末Ｘに宛てられたページを、赤のアクセス端末が位置付けられているところに送らせる。このようなときは、真のアクセス端末は自分の呼を得られない。ＣＤＭＡの無線ネットワークは、ＭＳＣと通信して、アクセス端末の位置を更新し、認証する。アクセス端末とＣＤＭＡの無線ネットワークとの間の通信は、適応可能な（例えば、ＩＳ−２０００）のＣＤＭＡの標準規格を介して実現することができ、ＣＤＭＡの無線ネットワークとＭＳＣとの間の通信は上述の相互運用性仕様によって定義されているように実現することができる。
【００３７】
アクセス端末は、ＨＤＲの無線ネットワークとセッションが設定されると、ＨＤＲの無線ネットワークとデータを交換することができる。データを交換する前に、現在誰もＨＤＲの無線ネットワークと接続していないときは、ＨＤＲの無線ネットワークとの接続を設定する。アクセス端末は、接続の設定を介して、データ交換に使用するトラヒックチャンネルを割り当てられている。その後で、アクセス端末とＨＤＲの無線ネットワークとの間およびＨＤＲの無線ネットワークとＰＤＳＮとの間でデータを交換することができる。設定された接続は、アクセス端末またはＨＤＲの無線ネットワークの何れかによって指示されたときか、または特定の非活動期間後に自動的に切られる。アクセス端末がＨＤＲの無線ネットワークとセッションを設定している間は、データ交換を行なうことができる。
【００３８】
１つの実施形態では、アクセス端末はEncapsuateCDMAのメッセージをＨＤＲの無線ネットワークへ定期的に送って、非請求のＣＤＭＡメッセージを転送し始めるか、または転送し続ける（すなわち、トンネリング（tunneling））ことを要求する。この“キープアライブ”機構は、非請求のＣＤＭＡのメッセージが転送されることへの関心を示したアクセス端末のみが、このようなやり方でサービスされることと、有用なエアリンク資源が、関心をもっていないアクセス端末へ送ることによって必要以上に無駄にされないこととを保証する。キープアライブ機構については、別途詳しく記載する。
【００３９】
アクセス端末がＣＤＭＡの無線ネットワークに登録すると、ＣＤＭＡの無線ネットワークにはアクセス端末の存在と所在とが分かるが、ＨＤＲの無線ネットワークとの通信は認識できない（本発明にしたがって、これは不要である）。ＣＤＭＡの無線ネットワークの観点から、メッセージは標準のやり方で処理される。その後、種々の実施形態の１つでは、ＣＤＭＡの無線ネットワークからのメッセージをアクセス端末へ転送することができる。
【００４０】
アクセス端末がＣＤＭＡの無線ネットワークに登録すると、ＭＳＣは非請求のＣＤＭＡメッセージ（例えば、ページング要求メッセージ）をＣＤＭＡの無線ネットワークへ送る。本発明の１つの実施形態にしたがって、アクセス端末が、非請求のＣＤＭＡメッセージを受信することを望んでいて、一方でＨＤＲの無線ネットワークに同調していることを示すとき、ＭＳＣはこれらのメッセージをＨＤＲの無線ネットワークへも送る。別の実施形態では、アクセス端末が、これらのメッセージを受信することを望んでいて、一方でＨＤＲの無線ネットワークに同調していることを示すとき、（図４において点線で示されているように）ＣＤＭＡの無線ネットワークは非請求のＣＤＭＡのメッセージをＨＤＲの無線ネットワークへ転送する。したがって、ＭＳＣは非請求のＣＤＭＡメッセージを特定のＣＤＭＡのＢＳＣへ送り、ＭＳＣまたはＣＤＭＡのＢＳＣの何れかは、アクセス端末が同調しているＨＤＲのＢＳＣへ送る。
【００４１】
ＨＤＲの無線ネットワークは、非請求のＣＤＭＡメッセージを受信し、各アクセス端末ごとにメッセージを識別する。特定のアクセス端末が、非請求のＣＤＭＡのメッセージを受信することに関心があることを前もって示しているときは、ＨＤＲの無線ネットワークは、このアクセス端末のために受信した各メッセージをカプセル化し、カプセル化されたメッセージをそのアクセス端末へ送る。アクセス端末からStopEncapusulateCDMAメッセージを受信するか、またはアクセス端末がＨＤＲの無線ネットワークから切り離されるまでは、ＨＤＲの無線ネットワークは、非請求のＣＤＭＡメッセージを受信し、フィルタ処理し、カプセル化し、アクセス端末へ送り続ける。
【００４２】
ＨＤＲの無線ネットワークからカプセル化されたメッセージを受信して処理するとき、アクセス端末は適切に応答することができる。例えば、アクセス端末が音声ページを受信し、一方でＨＤＲの無線ネットワークとデータを交換しているとき、アクセス端末がＨＤＲの無線ネットワークとの接続を終了し、ＣＤＭＡの無線ネットワークと音声呼を設定する。ＨＤＲの無線ネットワークとの接続を終了するために、アクセス端末はCloseConnectionメッセージをＨＤＲの無線ネットワークへ送る。アクセス端末がＣＤＭＡの無線ネットワークとセッションを設定するので、ＨＤＲの無線ネットワークは非請求のＣＤＭＡメッセージをカプセル化して転送する必要は最早なくなる。したがって、アクセス端末はStopEncapsulateCDMAのメッセージをＨＤＲの無線ネットワークへ送って、非請求のＣＤＭＡメッセージの転送を止めるように命令することもできる。その代わりに、ＨＤＲの無線ネットワークがアクセス端末からCloseConnectionのメッセージを受信すると、非請求のＣＤＭＡメッセージをカプセル化して転送することを自動的に止めるようにすることもできる。
【００４３】
アクセス端末は、ページ応答メッセージをＣＤＭＡの無線ネットワークへ送ることによって、ＣＤＭＡの無線ネットワークとの接続を設定することができる。ページ応答メッセージを受信し、設定された通信形式に依存しているとき、音声呼またはデータ呼（または、この両者）をＣＤＭＡの無線ネットワークとセットアップすることができる。音声呼をセットアップするために、ＣＤＭＡの無線ネットワークは上述の相互運用性仕様に指定されているようにＭＳＣと通信し、さらに、応用可能なＣＤＭＡの標準規格（例えば、ＩＳ−２０００の標準規格）に指定されているように通信する。またデータ呼をセットアップするために、ＣＤＭＡの無線ネットワークは、応用可能なＣＤＭＡの標準規格に指定されているようにアクセス端末と通信し、さらに相互運用性仕様に指定されているようにＰＤＳＮと通信する。音声呼またはデータ呼、あるいはこの両者がセットアップされているときは、アクセス端末は音声またはデータ、あるいはこの両者のトラヒックをＣＤＭＡの無線ネットワークと交換する。ＣＤＭＡの無線ネットワークとのデータ呼を使用して、以前はＨＤＲの無線ネットワークを介して行なっていたアクセス端末とＰＤＳＮとの間のデータ交換を続けることができる。
【００４４】
ＣＤＭＡの無線ネットワークとの音声呼またはデータ呼、あるいはこの両者との通信を終了すると、アクセス端末はＣＤＭＡの無線ネットワークとの接続を終了することができる。その後で、アクセス端末はEncapsulateCDMAのメッセージをＨＤＲの無線ネットワークへ送って、非請求のＣＤＭＡメッセージの受信を再開することができる。アクセス端末は、ＨＤＲの無線ネットワークとの別の接続を設定してデータを交換するか、またはその代わりにＣＤＭＡの無線ネットワークとの別の音声呼またはデータ呼、あるいはこの両者をセットアップすることもできる。
【００４５】
ＣＤＭＡの無線ネットワークは、非請求のＣＤＭＡメッセージを転送すると、ＨＤＲの無線ネットワークと通信中であるか、またはこれと同調しているアクセス端末と通信することができる。したがって、アクセス端末はＣＤＭＡの無線ネットワークに同調していなくても、このＣＤＭＡの無線ネットワークからサービスを受け続けることができる。
【００４６】
表１は、カプセル化されたメッセージのメッセージフォーマットの特定の実施形態を示している。この実施形態では、カプセル化されたメッセージは３つのフィールド、すなわち（１）アクセス端末識別子（Access Terminal Identifier, ATI）記録フィールド、（２）メッセージ識別子（Identifier, ID）フィールド、および（３）ＣＤＭＡメッセージフィールドを含む。ＡＴＩ記録フィールドは、受信者のアクセス端末のアドレスを指定する記録を含み、上述のＨＡＩ仕様にさらに詳しく記載されている。ＡＴＩ記録フィールドは、カプセル化されたメッセージの宛先であるアクセス端末を識別する。メッセージＩＤは、メッセージがカプセル化されたメッセージであるかどうかを示す。ＣＤＭＡメッセージフィールドには、カプセル化されたメッセージ自体、例えばカプセル化されたメッセージの宛先である受信者のアクセス端末のページング記録が含まれている。種々の他のメッセージフォーマットも使用でき、これは本発明の技術的範囲内である。
【表１】
2011250448.tif 000002
【００４７】
アクセス端末は、種々の機構を介してカプセル化されたメッセージを受信することができる。１つの機構では、アクセス端末は、ＨＤＲの無線ネットワークと接続状態であるとき、順方向のトラヒックチャンネル上でカプセル化されたメッセージを受信する。
【００４８】
その代わりに、アクセス端末がＨＤＲの無線ネットワークと接続していないときは、他の機構を使用することができる。例えば、アクセス端末がＨＤＲの無線ネットワークと同調しているとき、ＨＤＲの無線ネットワークは、指定されたＨＤＲの制御チャンネルのサイクルで、非請求のＣＤＭＡのメッセージをアクセス端末へ転送することができる。さもなければ、アクセス端末は、ＣＤＭＡの無線ネットワークと同調しているときに、StopEncapsulateCDMAメッセージをＨＤＲの無線ネットワークへ送り、非請求のＣＤＭＡメッセージをカプセル化して、アクセス端末へ転送するのを止める。
【００４９】
非請求のＣＤＭＡメッセージを転送する他の機構も使用でき、これは本発明の技術的範囲に含まれる。例えば、これらのメッセージはシグナリングチャンネル、制御チャンネル、ページングチャンネル、またはその他のものを介して転送することができる。
【００５０】
1つの実施形態では、アクセス端末は、（例えば、音声ページに応答するために）ＨＤＲの無線ネットワークとの接続を切るとき、図４に示したように、StopEncapsulateCDMAのメッセージをＨＤＲの無線ネットワークへ送る。ＨＤＲの無線ネットワークは、StopEncapsulateCDMAのメッセージを受信すると、アクセス端末のためにＣＤＭＡのメッセージをカプセル化するのを止める。
【００５１】
アクセス端末は、（例えば、ＣＤＭＡの無線ネットワークとの音声呼が終了した後で）ＨＤＲの無線ネットワークと再び同調すると、EncapusulateCDMAメッセージをＨＤＲの無線ネットワークへ送る。ＨＤＲの無線ネットワークは、ＨＤＲの無線ネットワークがEncapusulateCDMAメッセージを受信したように、このメッセージを受信すると、このＣＤＭＡのメッセージをカプセル化して、アクセス端末へ転送することを開始または再開する。
【００５２】
既に記載したように、１つの実施形態では、キープアライブ機構を使用して、エアーリンク資源が効果的に使用されることを保証する。キープアライブ機構の1つの構成では、EncapusulateCDMAのメッセージが送られる直前の時間から測定したＴ１の各時間間隔内で、アクセス端末はEncapusulateCDMAのメッセージを送る。ＨＤＲの無線ネットワークは、Ｔ２の時間間隔内でEncapsulateCDMAのメッセージを受信しないときは、メッセージをカプセル化するのを止めることができる。Ｔ１およびＴ２の各々はシグナリング遅延、処理遅延、などのような種々のパラメータに基づいて選択することができる。特定の例として、Ｔ１を約１０分に選択し、Ｔ２をＴ１の約２倍に選択することができる。Ｔ１およびＴ２に対して他の値を使用することもでき、これは本発明の技術的範囲に含まれる。
【００５３】
ＨＤＲの無線ネットワークは、ＣＤＭＡの無線ネットワークの“フットプリント”と同様のフットプリントをもつように設計することができる。とくに、ＨＤＲの無線ネットワークの登録境界は、ＣＤＭＡの無線ネットワークの登録境界とほぼ整合することができる。これは、上述の米国特許出願（Attorney Docket No. QCPA990387）に記載されているように、例えば、ＢＴＳとアクセスポイントを同じセルサイトに一緒に位置付けて、伝送電力を適切に制御することによって実現することができる。登録境界がほぼ整合しているときは、アクセス端末は、境界に入ったときに、ＨＤＲの無線ネットワークとＣＤＭＡの無線ネットワークの両者に登録することができる。
【００５４】
オーバーレイシステム（すなわち、ＨＤＲの無線ネットワークとＣＤＭＡの無線ネットワークの両者を含むもの）では、オペレータは、１つのＣＤＭＡの登録境界が幾つかのＨＤＲの登録境界と常に一致するように、ＨＤＲの登録境界を設定することができる。逆に、１つのＨＤＲの登録境界が幾つかのＣＤＭＡの登録境界と常に一致するように、ＣＤＭＡの登録境界を設定するように構成することもでき、真である。したがって、オペレータは、１つのＣＤＭＡの登録境界内に多数のＨＤＲの境界があるように、ＨＤＲの登録境界を構成することができる。この場合に、アクセス端末がＨＤＲの登録境界を横切ったときに、アクセス端末が不要な登録をＣＤＭＡの無線ネットワークへ送るのを止めることができる。アクセス端末は、ＨＤＲの登録境界を横切るたびに、ＣＤＭＡの無線ネットワークに登録される規則があることに注意すべきである。
【００５５】
図５は、アクセス端末110とアクセスポイント130との特定の実施形態の簡単なブロック図である。アクセスポイント130では、非請求のＣＤＭＡメッセージは（例えば、ＭＳＣまたはＣＤＭＡのＢＳＣから）プロセッサ514へ供給される。非請求のＣＤＭＡメッセージがアクセス端末110へ転送されるとき、プロセッサ514は、上述のフォーマットのような、特定のメッセージフォーマットにしたがってメッセージをカプセル化する。
【００５６】
カプセル化されたメッセージ、バッファ512からのトラヒックデータ、およびプロセッサ514からの制御データはエンコーダ516へ供給され、エンコーダ516はコード化方式にしたがってデータをコード化する。コード化方式には、例えば巡回冗長検査（cyclic redundancy check, CRC）コーディング、ターボコーディング、畳込みコーディング、直列連結コーディング、リードソロモンコーディング、無コーディング（no-coding）、などが含まれ、これらは一般的にＣＤＭＡ応用に使用されている。コード化されたデータは変調器518へ供給され、変調器518ではコード化されたデータをさらに処理する。ＣＤＭＡ応用システムでは、変調器518はウオルシュカバリング（Walsh covering）、疑似雑音（pseudo-noise, PN）拡散、スクランブリング、などを行なう。処理されたデータはアナログ信号に変換される。送信機520はアナログ信号を受信して、特定の変調フォーマット（例えば、４分の１位相シフトキーイング（quadrature phase shift keying, QPSK）、オフセットＱＰＳＫ、または他のフォーマット）を使用してアナログ信号を変調し、信号をフィルタ処理して増幅し、信号を空中で送受切換え器（duplexer, D）522およびアンテナ524を介して送る。
【００５７】
アクセス端末110では、送信信号はアンテナ552によって受信され、送受切換え器（Ｄ）554を介してルート設定され、受信機556へ供給される。受信機556は、受信信号を調節し、復調し、ディジタル化して、サンプルを復調器558へ供給する。信号調節には、フィルタ処理、増幅、周波数変換、などが含まれ、復調は、アクセスポイント130において実行される処理と相補的である。
【００５８】
復調器558は、アクセスポイント130において行なわれる処理と相補的なやり方で、サンプルを処理して（例えば、逆拡散、逆スクランブル、および逆カバリング（decovering））、符号を供給する。デコーダ560は符号を受信して、アクセスポイント130において使用されているコード化方式と相補的なデコーディング方式でこれをデコードする。デコードされたデータは制御装置562へ供給される。
【００５９】
トラヒックデータおよびメッセージ（例えば、EncapsulateCDMAメッセージ、StopEncapsulateCDMAメッセージ、など）は、相補的な信号路を介して、アクセス端末110からアクセスポイント130へ送られる。バッファからのトラヒックデータ（図５には示されていない）およびメッセージは、エンコーダ564によってコード化され、変調器566によって変調され、送信機568によって調節され、送受切換え器554を通ってルート設定され、アンテナ552を介して送られる。アクセスポイント130では、送られた信号はアンテナ524によって受信され、送受切換え器522によってルート設定され、ＲＦ受信機526によって調節され、復調器528によって処理され、デコーダ530によってデコードされ、プロセッサ514へ供給される。
【００６０】
ここで使用されているように、順方向の伝送はアクセスポイント130からアクセス端末110への伝送を指し、逆方向の伝送はアクセス端末110からアクセスポイント130への伝送を指す。逆方向経路上の処理およびデコーディングのフォーマットは、順方向路のものとは異なっていてもよく、通常は異なる。
【００６１】
図５では、エンコーダ516、変調器518、および送信機520は、アクセスポイント130のための送信機ユニットを形成し、受信機526、復調器528、およびデコーダ530はアクセスポイント130のための受信機ユニットを形成している。同様に、エンコーダ564、変調器566、および送信機568は、アクセス端末110のための送信機ユニットを形成し、受信機556、復調器558、およびデコーダ560は、アクセス端末110のための受信機ユニットを形成している。
【００６２】
アクセス端末およびアクセスポイントの素子は、種々のやり方で構成することができる。例えば、これらの素子は特定用途向けＩＣ（application specific integrated circuit, ASIC）、ディジタル信号プロセッサ（digital signal processor, DSP）、マイクロ制御装置、マイクロプロセッサ、ここに記載した機能を実行するように設計された他の電子回路、またはその組み合わせを使用して構成することができる。さらに加えて、ここに記載した機能の幾つかは、汎用プロセッサか、またはここに記載した機能を実現する命令コードを実行するように働く特別に設計されたプロセッサを使用して実行することができる。したがって、ここに記載したアクセス端末およびアクセスポイントの素子は、ハードウエア、ソフトウエア、またはその組み合わせを使用して実行することができる。
【００６３】
上述の好ましい実施形態は、当業者が本発明を生成または使用できるようにするために記載されている。これらの実施形態に対する種々の変更は当業者には容易に明らかであり、ここに定義されている一般的な原理は、発明の能力（inventive faculty）を使用することなく、他の実施形態に応用することができる。したがって、本発明は、ここに示した実施形態に制限されることを意図されていないが、ここに開示した原理および新規な特徴に一致する最も幅広い範囲にしたがう。
【図１】
2011250448.tif 000003
【図２】
2011250448.tif 000004
【図３】
2011250448.tif 000005
【図４】
2011250448.tif 000006
【図５】
2011250448.tif 000007
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
第２の無線ネットワークから第１の無線ネットワークへ転送されたメッセージを受信するための方法であって、
アクセス端末が、前記第１の無線ネットワークとのセッションを設定することと、
前記アクセス端末が、前記第２の無線ネットワークから非請求のメッセージを受信することへの関心の表示を、定期的に前記第１の無線ネットワークへ送ることと、
前記アクセス端末が、前記第１の無線ネットワークへ転送された前記第２のネットワークからの非請求のメッセージが含まれているカプセル化されたメッセージを、前記第１の無線ネットワークから受信することとを含む方法。
【請求項２】
前記アクセス端末が、特定の組のサービスオプションのためにページされることへの関心の表示を前記第１の無線ネットワークへ送ることをさらに含む請求項１記載の方法。
【請求項３】
前記アクセス端末が、受信する前に、前記第２の無線ネットワークに登録することをさらに含む請求項１記載の方法。
【請求項４】
前記アクセス端末が、第１のメッセージを前記第１の無線ネットワークへ送って、前記第２の無線ネットワークからの前記非請求のメッセージをカプセル化して転送することを要求することをさらに含む請求項１記載の方法。
【請求項５】
前記アクセス端末から前記第１のメッセージが第１の時間間隔内で定期的に送られる請求項４記載の方法。
【請求項６】
前記第１の時間間隔より長い第２の時間間隔内で前記第１のメッセージが受信されないときは、前記第１の無線ネットワークは、前記第２の無線ネットワークからの前記非請求のメッセージをカプセル化して転送することを止める請求項５記載の方法。
【請求項７】
前記アクセス端末が、第２のメッセージを前記第１の無線ネットワークへ送って、前記第２の無線ネットワークからの前記非請求のメッセージをカプセル化して転送するのを終了することを要求することをさらに含む請求項１記載の方法。
【請求項８】
前記アクセス端末が、前記第１の無線ネットワークからの前記カプセル化されたメッセージを受信することに応答して、ページ応答メッセージを前記第２の無線ネットワークへ送ることをさらに含む請求項１記載の方法。
【請求項９】
前記アクセス端末が、前記カプセル化されたメッセージを受信することに応答して、前記第２の無線ネットワークとの接続を設定することをさらに含む請求項１記載の方法。
【請求項１０】
前記カプセル化されたメッセージが、
受信者のアクセス端末のアドレスを示すアクセス端末識別子（Ａｃｃｅｓｓ Ｔｅｒｍｉｎａｌ Ｉｄｅｎｔｉｆｉｅｒ， ＡＴＩ）記録フィールドと、
メッセージがカプセル化されたメッセージであることを示すメッセージＩＤフィールドと、
前記受信者のアクセス端末のために１つ以上のページング記録を示すメッセージフィールドとを含む請求項１記載の方法。
【請求項１１】
前記非請求のメッセージが移動スイッチングセンタ（Ｍｏｂｉｌｅ Ｓｗｉｔｃｈｉｎｇ Ｃｅｎｔｅｒ， ＭＳＣ）から前記第１および前記第２の無線ネットワークへ送られる請求項１記載の方法。
【請求項１２】
前記非請求のメッセージが前記第２の無線ネットワークから前記第１の無線ネットワークへ送られる請求項１記載の方法。
【請求項１３】
前記アクセス端末により、前記カプセル化されたメッセージが順方向のトラヒックチャンネル上で前記第１の無線ネットワークから受信される請求項１記載の方法。
【請求項１４】
前記アクセス端末により、前記カプセル化されたメッセージが指定された制御チャンネルサイクル上で前記第１の無線ネットワークから受信される請求項１記載の方法。
【請求項１５】
前記アクセス端末が前記第１の無線ネットワークから受信した前記カプセル化されたメッセージが、ページング要求メッセージである請求項１記載の方法。
【請求項１６】
前記アクセス端末が前記第１の無線ネットワークから受信した前記カプセル化されたメッセージが、音声ページである請求項１記載の方法。
【請求項１７】
前記第１の無線ネットワークが、高データレート（Ｈｉｇｈ Ｄａｔａ Ｒａｔｅ， ＨＤＲ）の無線ネットワークである請求項１記載の方法。
【請求項１８】
前記第２の無線ネットワークが、ＩＳ−２０００の標準規格にしたがうＣＤＭＡの無線ネットワークである請求項１記載の方法。
【請求項１９】
請求項１記載の方法を実行するように構成されたスペクトル拡散通信システム内のアクセス端末。
【請求項２０】
ＣＤＭＡの無線ネットワークからＨＤＲの無線ネットワークへ転送されるメッセージを受信するための方法であって、
アクセス端末が、前記ＨＤＲの無線ネットワークとのセッションを設定することと、
アクセス端末が、前記ＣＤＭＡの無線ネットワークから非請求のメッセージを受信することへの関心の表示を前記ＨＤＲの無線ネットワークへ送ることと、
アクセス端末が、前記ＣＤＭＡの無線ネットワークに登録することと、
アクセス端末が、第１のメッセージを前記ＨＤＲの無線ネットワークへ定期的に送って、前記ＣＤＭＡの無線ネットワークからの前記非請求のメッセージをカプセル化して転送することを要求することと、
アクセス端末が、前記ＨＤＲの無線ネットワークから転送された前記ＣＤＭＡの無線ネットワークからの非請求のメッセージが含まれているカプセル化されたメッセージを、前記ＨＤＲの無線ネットワークから受信することとを含む方法。
【請求項２１】
スペクトル拡散通信システム内のアクセス端末であって、
データおよびメッセージを受信してコード化し、前記コード化されたデータを変調し、前記変調されたデータを、伝送媒体上での伝送に適した変調された信号へ変換するように動作する送信機ユニットと、
送られた信号を受信し、前記受信された信号を復調して、復調されたデータを供給し、前記復調されたデータをデコードして、送られたデータとメッセージとを回復するように動作する受信機ユニットと、
送信機ユニットおよび受信機ユニットに接続された制御装置であって、
第１の無線ネットワークとのセッションを設定し、
第２の無線ネットワークからの非請求のメッセージを受信することへの関心の表示を、定期的に前記第１の無線ネットワークへ送り、
前記第１の無線ネットワークへ転送された前記第２の無線ネットワークからの非請求のメッセージが含まれているカプセル化されたメッセージを、前記第１の無線ネットワークから受信して処理するように命令するように動作する制御装置とを含むアクセス端末。
【請求項２２】
第１の無線ネットワークが、アクセス端末へ第２の無線ネットワークからのメッセージを転送するための方法であって、
前記第１の無線ネットワークが、前記アクセス端末とのセッションを設定することと、
前記第１の無線ネットワークが、前記アクセス端末から定期的に送られる、前記第２の無線ネットワークから非請求のメッセージを受信することへの関心の表示を受信することと、
前記第１の無線ネットワークが、前記第２の無線ネットワークから非請求のメッセージを受信することと、
前記第１の無線ネットワークが、前記関心の表示を受信した場合に、前記非請求のメッセージをカプセル化することと、
前記第１の無線ネットワークが、前記カプセル化されたメッセージを前記アクセス端末へ送ることとを含む方法。
【請求項２３】
前記第１の無線ネットワークが、第１のメッセージを前記アクセス端末から受信して、前記第２の無線ネットワークからの前記非請求のメッセージをカプセル化して転送することを要求することをさらに含む請求項２２記載の方法。
【請求項２４】
前記第１の無線ネットワークによって、前記第１のメッセージが前記アクセス端末から定期的に受信され、前記第１のメッセージが特定の時間間隔内で受信されないときは、前記第１の無線ネットワークは、前記第２の無線ネットワークからの前記非請求のメッセージをカプセル化して転送するのを止める請求項２３記載の方法。
【請求項２５】
前記第１の無線ネットワークは、前記アクセス端末から第２のメッセージを受信した場合に、前記第２の無線ネットワークからの前記非請求のメッセージをカプセル化して転送するのを終了することを要求することをさらに含む請求項２２記載の方法。
【請求項２６】
スペクトル拡散通信システム内のアクセスポイントであって、
データおよびメッセージを受信してコード化し、前記コード化されたデータを変調し、前記変調されたデータを、伝送媒体上で伝送するのに適した変調された信号へ変換するように動作する送信機ユニットと、
送られた信号を受信し、前記受信された信号を復調して、復調されたデータを生成し、前記復調されたデータをデコードして、送られたデータとメッセージとを回復するように動作する受信機ユニットと、
送信機ユニットおよび受信機ユニットに接続された制御装置であって、
アクセス端末とのセッションの設定、
前記アクセス端末から定期的に送られる、第２の無線ネットワークからの非請求のメッセージを受信することへの関心の表示の受信、
前記第２の無線ネットワークから非請求のメッセージの受信、
前記関心の表示を受信した場合に、前記非請求のメッセージのカプセル化、および、
前記カプセル化されたメッセージの前記アクセス端末への伝送を命令するように構成された制御装置とを含むアクセスポイント。
【外国語明細書】
2011250448000001.pdf